(57)【要約】本発明は、ネットワークと少なくとも１つのモバイル無線通信端末の間におけるパケットによるリアルタイムデータ伝送の方法に関し、該伝送は、それぞれ所定の数のブロックを含む複数のマルチフレームで行われる。該方法は、データ転送に割り振られるブロックとは独立かつ別個に、アップリンク伝送および／またはダウンリンク伝送において、シグナリングおよび／または制御のために１つのブロックまたは特定のブロックを端末に、または関与する各端末に動的に割り当てるまたは割り振ることを特徴とする。【特許請求の範囲】
【請求項１】
ネットワークと少なくとも１つのモバイル無線通信端末の間におけるパケットによるリアルタイムのデータ伝送の方法であって、伝送は、それぞれが所定の数のブロックを含む複数のマルチフレームで行われ、データ転送に割り振られるブロックとは独立かつ別個に、アップリンク伝送および／またはダウンリンク伝送において、シグナリングおよび／または制御のために１つのブロックまたは特定のブロックを端末に、または関与する各端末に動的に割り当てるまたは割り振ることを特徴とする方法。
【請求項２】
シグナリングおよび／または制御メッセージの前記伝送のため、通信または所与の伝送シーケンスの継続時間全体にわたり、１つのマルチフレームまたは１組のマルチフレームにブロックの固定割当てを行うことを特徴とする請求項１に記載の方法。
【請求項３】
ネットワークが、通信中にまたは通信の所与の伝送シーケンス中に、シグナリングおよび／または制御に割り振られた１つのブロックまたは特定のブロックの再割当てを実施することを特徴とする請求項１または２のいずれか一項に記載の方法。
【請求項４】
パケットによる伝送に関連する制御ブロックの割振りが、マルチフレームごとにマルチフレーム内の番号によって識別される１つのブロックをアップリンク伝送および／またはダウンリンク伝送においてトラフィックチャネルと同一の時間間隔または異なる時間間隔で行なわれることを特徴とする請求項１から３のいずれか一項に記載の方法。
【請求項５】
パケットによる伝送に関連する１つまたは複数の制御ブロックの割当てが、マルチフレームの番号の指示およびマルチフレーム内の１つまたは複数のブロック番号の指示により、アップリンク伝送および／またはダウンリンク伝送においてトラフィックチャネルと同一の時間間隔または異なる時間間隔で行われることを特徴とする請求項１から３のいずれか一項に記載の方法。
【請求項６】
複数のモバイル端末間で制御チャネルが共用される場合、制御ブロック内に指示子または識別フィールドを備え、前記チャネル上で多重化されて伝送される様々なシグナリングブロックの送信元モバイル局または宛先モバイル局をアップリンク伝送および／またはダウンリンク伝送において知ることを可能にすることを特徴とする請求項２から５のいずれか一項に記載の方法。
【請求項７】
ダウンリンク伝送において、複数のモバイル局間で制御チャネルが共用される場合、所与のモバイル端末に向けてネットワークから伝送される制御ブロックは、前記シグナリングメッセージまたは前記制御メッセージを含むブロックの宛先のモバイル端末を知ることを可能にする識別子を含むことを特徴とする請求項２から５のいずれか一項に記載の方法。
【請求項８】
伝送が、Ｇ．Ｅ．Ｒ．Ａ．Ｎ．の名称で知られる標準に従って行われることを特徴とする請求項１から７のいずれか一項に記載の方法。
【請求項９】
地理的に分散した複数の固定局と、モバイルからネットワークに向かうアップリンク伝送および／またはネットワークからモバイルに向かうダウンリンク伝送によって互いに通信することができる複数のモバイル端末とを含む無線遠隔通信セルラーネットワークであって、前記データ伝送は、それぞれが所定の数のブロックから形成され、かつそれぞれが複数のモバイル端末の間で共用されることが可能な複数のマルチフレームで、パケットによりリアルタイムで行われ、各端末に、データ転送に割り振られるブロックとは独立かつ別個に、アップリンク伝送および／またはダウンリンク伝送において、シグナリングおよび／または制御のために１つのブロックまたは特定のブロックが割り当てられるまたは割り振られることを特徴とするセルラーネットワーク。
【請求項１０】
シグナリングおよび／または制御のための特定ブロックの割当てまたは割振りが、請求項２から８のいずれか一項に従って行われることを特徴とする請求項９に記載のネットワーク。
【請求項１１】
請求項９および１０のいずれか一項に記載のネットワークの一部を成す可能性があるセルラー無線通信モバイル端末であって、請求項１から８のいずれか一項に記載のリアルタイムデータ伝送の方法を実施するように構成されることを特徴とする端末。
【発明の詳細な説明】
【０００１】
本発明は、セルラー無線通信ネットワークにおける通信管理の分野に関し、詳細には、通信ネットワークの一部を成す局またはモバイル端末に向かうダウンリンク伝送と前記ネットワークに向かう前記モバイルからのアップリンク伝送の管理の分野に関する。
【０００２】
本発明は、パケットによるリアルタイムのデータ伝送の方法を目的とし、より正確には、制御ブロックの固定割当てを伴うリアルタイムデータ伝送の方法、および該方法を実施するセルラー無線通信ネットワークを目的とする。
【０００３】
本明細書では、「アップリンク」という用語は、１つまたは複数のモバイル端末からネットワークに向かう（「アップリンク」）伝送または伝送チャネルを指すのに使用し、「ダウンリンク」という用語は、ネットワークから（またはネットワークの基地局から）ネットワークに属する１つまたは複数のモバイルに向かう（「ダウンリンク」）伝送または伝送チャネルを指すのに使用する。
【０００４】
現在、パケットによる情報伝送の環境、例えば、Ｇ．Ｐ．Ｒ．Ｓ．（「Ｇｅｎｅｒａｌ　Ｐａｃｋｅｔ　Ｒａｄｉｏ　Ｓｅｒｖｉｃｅ」を表す）、Ｅ．Ｇ．Ｐ．Ｒ．Ｓ．（「Ｅｎｈａｎｃｅｄ　Ｇｅｎｅｒａｌ　Ｐａｃｋｅｔ　Ｒａｄｉｏ　Ｓｅｒｖｉｃｅ」を表す）、およびＧ．Ｅ．Ｒ．Ａ．Ｎ．（「ＧＳＭ／ＥＤＧＥ／Ｒａｄｉｏ　Ａｃｃｅｓｓ　Ｎｅｔｗｏｒｋ」を表す）の名称で知られる標準に準拠する情報伝送の環境では、伝送のどちらか１つの方向でシグナリングまたは制御のメッセージまたはデータを伝送しなければならないとき、モバイル局または可搬局とネットワークの間におけるリアルタイムでの伝送フローに必要な一定のビット伝送速度を保つことを保証するための方策は、全く提供されていない。
【０００５】
したがって、Ｇ．Ｅ．Ｒ．Ａ．Ｎ．標準に関して、シグナリングメッセージおよびＲＬＣ（「Ｒａｄｉｏ　Ｌｉｎｋ　Ｃｏｎｔｒｏｌ」：無線リンク制御を表す）ユーザデータブロックは、アップリンク伝送においても、ダウンリンク伝送においても同一の物理リソース上で多重化される。受信された各ブロックのＭＡＣ（「Ｍｅｄｉｕｍ　Ａｃｃｅｓｓ　Ｃｏｎｔｒｏｌ」：伝送媒体に対するアクセスの制御を表す）ヘッダ内に存在するＰＴ指示子が読み取られ、前記ブロックの種類、つまりユーザデータブロックであるか、シグナリングのブロックであるか、かつ／または制御のブロックであるかが判定される。
【０００６】
この解決策では、リアルタイムの伝送のために必要な不可欠の条件、すなわち、伝達遅延の変動が無いという条件を満たすことができない。というのは、ユーザデータブロックと共用されるアップリンクまたはダウンリンクの無線リソース上で送信される各シグナリングメッセージにより、誘発される遅延の変動のため、リアルタイム伝送が乱されて通信リンクの品質が低下することになるからである。
【０００７】
本発明は、前述した不都合を解決し、リアルタイム伝送を乱すことなくシグナリングメッセージを伝送するのを可能にする解決策を提案することを目的とする。
【０００８】
この目的で、本発明は、ネットワークと少なくとも１つのモバイル無線通信端末との間におけるパケットによるリアルタイムデータ伝送の方法を提案し、伝送は、それぞれが所定の数のブロックを含む複数のマルチフレームで行われ、該方法は、データ転送に割り当てられるブロックとは独立かつ別個に、アップリンク伝送および／またはダウンリンク伝送において、シグナリングおよび／または制御のために１つのブロックまたは特定のブロックを端末に、または関与する各端末に動的に割り当てるまたは割り振ることを特徴とする。
【０００９】
本発明の好ましい実施形態によれば、１つのマルチフレーム上または１組のマルチフレーム上でブロックの固定割当てを行うようにすることができ、割当ては、通信（端末とネットワークの間における複数の双方向伝送から成る）の継続時間または所与の伝送シーケンス（通信の一部を成す）の継続時間の全体にわたって行われる。
【００１０】
変形形態として、または前述した構成の補完として、ネットワークは、通信中にまたは通信の所与の伝送シーケンス中に、シグナリングおよび／または制御に割り当てられた１つのブロックまたは特定のブロックの再割振りを動的に実施することが可能である。
【００１１】
本発明の第１の変形形態によれば、パケットによる伝送に関連する制御ブロックの割振りは、マルチフレームごとに該マルチフレーム内の番号によって識別された１つのブロックをアップリンク伝送および／またはダウンリンク伝送においてトラフィックチャネルと同一の時間間隔（「タイムスロット」）でまたは異なる時間間隔で割り振ることにある。
【００１２】
本発明の第２の変形形態によれば、パケットによる伝送に関連する１つまたは複数の制御ブロックの割振りは、マルチフレームの番号の指示およびマルチフレーム内の１つまたは複数のブロックの番号の指示により、アップリンク伝送および／またはダウンリンク伝送においてトラフィックチャネルと同一の時間間隔でまたは異なる時間間隔で行われる。
【００１３】
複数のモバイル端末間で制御チャネルが共用される場合、制御ブロック内に指示子または識別フィールドを備え、前記チャネル上で多重化されて伝送される様々なシグナリングブロックの送信元モバイル局または宛先モバイル局をアップリンク伝送および／またはダウンリンク伝送において知ることを可能にする。
【００１４】
ただし、ダウンリンク伝送においては、所与のモバイル端末に向けてネットワークから伝送される制御ブロックは、変形形態では、前記シグナリングメッセージまたは該制御メッセージを含むブロックの宛先のモバイル端末を知ることを可能にする識別子を含むことが可能である。
【００１５】
前述した方法をＧ．Ｅ．Ｒ．Ａ．Ｎ．という名称で知られる標準に基づく伝送方法と関連して、非限定的な例として以下により詳細に説明する。
【００１６】
この実施例では、本発明によって提案される解決策は、ブロック番号の指示またはブロック番号とマルチフレーム番号の指示により、アップリンク伝送およびダウンリンク伝送に関して、１つのマルチフレーム５２内または１組のマルチフレーム５２内のパケット（ＰＡＣＣＨ）による伝送に関連する制御チャネルの固定割当てをトラフィックチャネルと同一の時間間隔、つまり「タイムスロット」で、または前記トラフィックチャネルとは異なる別の時間間隔で行うことにある。
【００１７】
したがって、制御ブロックおよびＲＬＣデータブロックは、ダウンリンク伝送においても、アップリンク伝送においても同一の物理リソース上で多重化されない。
【００１８】
ダウンリンク伝送の際、ダウンリンク上のパケットによる伝送に関連する固定制御チャネル（ＤＬ　ＦＰＡＣＣＨ：「Ｄｏｗｎｌｉｎｋ　Ｆｉｘｅｄ　Ｐａｃｋｅｔ　Ａｓｓｏｃｉａｔｅｄ　Ｃｏｎｔｒｏｌ　ＣＨａｎｎｅｌ」）は、複数のモバイル端末によって共用され、宛先モバイル端末の識別は、ＲＬＣ／ＭＡＣ制御ブロック内のＴＦＩ（「Ｔｅｍｐｏｒａｒｙ　Ｆｌｏｗ　Ｉｄｅｎｔｉｆｉｅｒ」：一時フロー識別子：ブロックによる一時フローへのブロックの帰属を識別する）指示子またはシグナリングメッセージ内に含まれる識別子によって与えられる。
【００１９】
アップリンク伝送の際、アップリンク上のパケットによる伝送に関連する固定制御チャネル（ＵＬ　ＦＰＡＣＣＨ：「Ｕｐｌｉｎｋ　Ｆｉｘｅｄ　Ｐａｃｋｅｔ　Ａｓｓｏｃｉａｔｅｄ　Ｃｏｎｔｒｏｌ　ＣＨａｎｎｅｌ」）は、複数のモバイル端末の間で共用され、送信元モバイル端末の識別は、ＲＬＣデータブロック内のＴＦＩ指示子によって与えられる。
【００２０】
既存のネットワーク上で本発明による方法を実施することは、比較的容易であり、小さな変更しかもたらさないことが認められよう。
【００２１】
また、本発明は、地理的に分散した複数の固定局と、モバイルからネットワークに向かうアップリンク伝送および／またはネットワークからモバイルに向かうダウンリンク伝送によって互いに通信することができる複数のモバイル端末とを含む無線遠隔通信セルラーネットワークにも関し、前記データ伝送は、それぞれが所定の数のブロックから形成され、かつそれぞれが複数のモバイル端末の間で共用されることが可能な複数のマルチフレーム上で、パケットによりリアルタイムで行われる。
【００２２】
このネットワークは、各端末に、データ転送に割り当てられるブロックとは独立かつ別個に、アップリンク伝送および／またはダウンリンク伝送において、シグナリングおよび／または制御のために１つのブロックまたは特定のブロックが割り当てられるまたは割り振られることを特徴とする。
【００２３】
好ましくは、シグナリングおよび／または制御のための特定ブロックの割当てまたは割振りは、前述した仕方で行われる。
【００２４】
最後に、本発明は、以上に規定したタイプのネットワークの一部を成す可能性があるセルラー無線通信モバイル端末であって、前述したリアルタイムのデータ伝送の方法を実施するように構成されることを特徴とする端末も目的とする。
【００２５】
もちろん、本発明は、説明した実施形態には限定されない。変更、具体的には、様々な要素の構成の点で、または技術的均等物による置き換えによる変更の可能性が残り、それでも本発明の請求範囲から逸脱することはない。
【国際公開パンフレット】
2004505572.tif 000002
2004505572.tif 000003
2004505572.tif 000004
2004505572.tif 000005
2004505572.tif 000006
2004505572.tif 000007
2004505572.tif 000008
【国際調査報告】
2004505572.tif 000009
2004505572.tif 000010
2004505572.tif 000011
2004505572.tif 000012